(57)【要約】【課題】利用者に初期設定の作業を強いること無く、携帯端末が特定屋内であるか否かの判定を可能にする。【解決手段】特定屋内判定システム１は、サーバ２０が、携帯端末１０から受信した無線電波状況を蓄積し、蓄積した無線電波状況に基づいて特定屋内の無線電波状況を推定する推定部２２を備え、携帯端末１０が、特定屋内にあったか否かを示すフラグを保持するフラグ保持部１４と、センサの測定値から屋内か否かを判定する屋内判定部１２と、屋内と判定されかつ特定屋内にあったことをフラグが示す場合に、無線電波状況を送信する送信部１７と、屋内と判定されかつ特定屋内になかったことをフラグが示す場合に、サーバ２０で推定された無線電波状況と測定された無線電波状況とに基づいて、特定屋内にあるか否かを判定する特定屋内判定部１６と、屋内判定部１２および特定屋内判定部１６の判定結果に応じて、フラグを設定するフラグ設定部１８と、を備える。【選択図】図１
2014082658.tif 000002
【特許請求の範囲】
【請求項１】
携帯端末と当該携帯端末と接続されたサーバを備え、当該携帯端末が特定の屋内にあるか否かを判定する特定屋内判定システムであって、
前記サーバが、
前記携帯端末から受信した位置情報および無線電波状況を対応付けて蓄積する電波状況蓄積手段と、
前記電波状況蓄積手段に蓄積された前記無線電波状況に基づいて、前記位置情報により特定される屋内の無線電波状況を推定する推定手段と、
を備え、
前記携帯端末が、
自端末の環境に関する情報を測定するセンサと、
前記自端末の無線電波状況を測定する電波状況測定手段と、
前記自端末が特定の屋内にあったか否かを示すフラグを保持するフラグ保持手段と、
前記センサの測定値に基づいて当該自端末が屋内にあるか否かを判定する屋内判定手段と、
前記屋内判定手段で前記自端末が屋内にあると判定され、かつ、当該自端末が特定の屋内にあったことを前記フラグが示す場合に、前記電波状況測定手段で測定された無線電波状況を前記サーバに送信する送信手段と、
前記屋内判定手段で前記自端末が屋内にあると判定され、かつ、当該自端末が特定の屋内になかったことを前記フラグが示す場合に、当該自端末の位置情報により特定される屋内について推定された無線電波状況を前記サーバから取得し、当該推定された無線電波状況と前記電波状況測定手段で測定された無線電波状況とに基づいて、当該自端末が前記特定の屋内にあるか否かを判定する特定屋内判定手段と、
前記屋内判定手段の判定結果、および前記特定屋内判定手段の判定結果に応じて、前記フラグを設定するフラグ設定手段と、
を備えることを特徴とする特定屋内判定システム。
【請求項２】
前記送信手段が、当該自端末が特定の屋内になかったことを前記フラグが示す場合に、前記特定屋内判定手段で前記自端末が前記特定の屋内にあると判定されたことに応じて、前記電波状況測定手段で測定された無線電波状況を前記サーバに送信することを特徴とする請求項１に記載の特定屋内判定システム。
【請求項３】
前記センサが、加速度センサであって、
前記屋内判定手段が、前記自端末が、前記加速度センサが検出した一方向への移動距離に基づいて、当該自端末が屋内にあるか否かを判定することを特徴とする請求項１または請求項２に記載の特定屋内判定システム。
【請求項４】
前記センサが、照度センサであって、
前記屋内判定手段が、前記自端末に内蔵される時計機能から検出された時刻と前記照度センサの測定値とに基づいて、当該自端末が屋内にあるか否かを判定することを特徴とする請求項１から請求項３のいずれかに記載の特定屋内判定システム。
【請求項５】
前記センサが、カメラであって、
前記屋内に設置される屋内用品の画像を予め記憶する画像記憶手段を備え、
前記屋内判定手段が、前記カメラにて撮影された画像に、前記画像記憶手段に画像が記憶されている前記屋内用品が含まれるか否かに基づいて、前記自端末が屋内にあるか否かを判定することを特徴とする請求項１から請求項４のいずれかに記載の特定屋内判定システム。
【請求項６】
前記センサが、マイクおよびスピーカであって、
前記屋内判定手段が、前記スピーカから音が発信されてから、壁による当該音の反射音を前記マイクが検出するまでの時間に基づいて、前記自端末が屋内にあるか否かを判定することを特徴とする請求項１から請求項５のいずれかに記載の特定屋内判定システム。
【請求項７】
前記フラグは、前記自端末の初期起動時には、当該自端末が特定の屋内にあることを示すことを特徴とする請求項１から請求項６のいずれかに記載の特定屋内判定システム。
【請求項８】
前記サーバが、
前記携帯端末の所有者宅の位置情報を記憶する位置情報記憶手段を備え、
前記携帯端末が、
前記自端末の初期起動時に、当該自端末の位置情報、および前記サーバから取得した当該自端末の所有者宅の位置情報に基づいて、当該自端末が所有者宅にあるか否かを判定する所有者宅判定手段を備え、
前記フラグ設定手段が、前記所有者宅判定手段で前記自端末が所有者宅にあると判断されたことに応じて、当該自端末が特定の屋内にあることを示すフラグを設定することを特徴とする請求項１から請求項６のいずれかに記載の特定屋内判定システム。
【請求項９】
特定の屋内にあるか否かを判定する携帯端末であって、
自端末の環境に関する情報を測定するセンサと、
前記自端末の無線電波状況を測定する電波状況測定手段と、
前記自端末が特定の屋内にあったか否かを示すフラグを保持するフラグ保持手段と、
前記センサの測定値に基づいて当該自端末が屋内にあるか否かを判定する屋内判定手段と、
前記屋内判定手段で前記自端末が屋内にあると判定され、かつ、当該自端末が特定の屋内にあったことを前記フラグが示す場合に、当該自端末の位置情報および無線電波状況を対応付けて蓄積する電波状況蓄積手段と、
前記電波状況蓄積手段に蓄積された前記無線電波状況に基づいて、前記位置情報により特定される屋内の無線電波状況を推定する推定手段と、
前記屋内判定手段で前記自端末が屋内にあると判定され、かつ、当該自端末が特定の屋内になかったことを前記フラグが示す場合に、前記推定手段で推定された無線電波状況と前記電波状況測定手段で測定された無線電波状況とに基づいて、当該自端末が前記特定の屋内にあるか否かを判定する特定屋内判定手段と、
前記屋内判定手段の判定結果、および前記特定屋内判定手段の判定結果に応じて、前記フラグを設定するフラグ設定手段と、
を備えることを特徴とする携帯端末。
【請求項１０】
携帯端末と当該携帯端末と接続されたサーバを備え、当該携帯端末が特定の屋内にあるか否かを判定する特定屋内判定システムのおける特定屋内判定方法であって、
前記携帯端末が、自端末の環境に関する情報を測定するセンサ、前記自端末の無線電波状況を測定する電波状況測定手段と、前記自端末が特定の屋内にあったか否かを示すフラグを保持するフラグ保持手段、屋内判定手段、送信手段、特定屋内判定手段、およびフラグ設定手段を備え、前記サーバが、電波状況蓄積手段、および推定手段を備え、
前記屋内判定手段が、前記センサの測定値に基づいて自端末が屋内にあるか否かを判定する第１のステップと、
前記送信手段が、前記第１のステップで前記自端末が屋内にあると判定され、かつ、当該自端末が特定の屋内にあったことを前記フラグが示す場合に、前記電波状況測定手段で測定された無線電波状況を前記サーバに送信する第２のステップと、
前記電波状況蓄積手段が、前記携帯端末から受信した位置情報および無線電波状況を対応付けて蓄積する第３のステップと、
前記特定屋内判定手段が、前記第１のステップで前記自端末が屋内にあると判定され、かつ、当該自端末が特定の屋内になかったことを前記フラグが示す場合に、当該自端末の位置情報により特定される屋内について推定された無線電波状況の取得要求を前記サーバに送信する第４のステップと、
前記推定手段が、前記電波状況蓄積手段に蓄積された前記無線電波状況に基づいて、前記位置情報により特定される屋内の無線電波状況を推定する第５のステップと、
前記特定屋内判定手段が、前記サーバから受信した推定された無線電波状況と前記電波状況測定手段で測定された無線電波状況とに基づいて、当該自端末が前記特定の屋内にあるか否かを判定する第６のステップと、
前記フラグ設定手段が、前記屋内判定手段の判定結果、および前記特定屋内判定手段の判定結果に応じて、前記フラグを設定する第７のステップと、
を含むことを特徴とする特定屋内判定方法。
【請求項１１】
携帯端末と当該携帯端末と接続されたサーバを備え、当該携帯端末が特定の屋内にあるか否かを判定する特定屋内判定システムのおける特定屋内判定方法をコンピュータに実行させるプログラムであって、
前記携帯端末が、自端末の環境に関する情報を測定するセンサ、前記自端末の無線電波状況を測定する電波状況測定手段と、前記自端末が特定の屋内にあったか否かを示すフラグを保持するフラグ保持手段、屋内判定手段、送信手段、特定屋内判定手段、およびフラグ設定手段を備え、前記サーバが、電波状況蓄積手段、および推定手段を備え、
前記屋内判定手段が、前記センサの測定値に基づいて自端末が屋内にあるか否かを判定する第１のステップと、
前記送信手段が、前記第１のステップで前記自端末が屋内にあると判定され、かつ、当該自端末が特定の屋内にあったことを前記フラグが示す場合に、前記電波状況測定手段で測定された無線電波状況を前記サーバに送信する第２のステップと、
前記電波状況蓄積手段が、前記携帯端末から受信した位置情報および無線電波状況を対応付けて蓄積する第３のステップと、
前記特定屋内判定手段が、前記第１のステップで前記自端末が屋内にあると判定され、かつ、当該自端末が特定の屋内になかったことを前記フラグが示す場合に、当該自端末の位置情報により特定される屋内について推定された無線電波状況の取得要求を前記サーバに送信する第４のステップと、
前記推定手段が、前記電波状況蓄積手段に蓄積された前記無線電波状況に基づいて、前記位置情報により特定される屋内の無線電波状況を推定する第５のステップと、
前記特定屋内判定手段が、前記サーバから受信した推定された無線電波状況と前記電波状況測定手段で測定された無線電波状況とに基づいて、当該自端末が前記特定の屋内にあるか否かを判定する第６のステップと、
前記フラグ設定手段が、前記屋内判定手段の判定結果、および前記特定屋内判定手段の判定結果に応じて、前記フラグを設定する第７のステップと、
をコンピュータに実行させるためのプログラム。
【発明の詳細な説明】
【技術分野】
【０００１】
本発明は、特定屋内判定システム、特定屋内判定装置、特定屋内判定方法、およびプログラムに関する。
【背景技術】
【０００２】
近年、タブレット端末やスマートフォンといった携帯端末が普及し、自宅や職場から持ち出す機会も多くなっている。しかしながら、自宅や職場といった特定の場所以外では、他者から見られる可能性も大きいために、プライベートな情報は見られないようにしたいというニーズがある。例えば、近年、着目されているホームエネルギーマネジメントシステム（ＨＥＭＳ）では、自宅の消費電力を携帯端末に表示させることができるが、自宅外では防犯上の観点からみられないようにしたいというニーズがある。
【０００３】
ところで、従来の屋内測位の技術では、予め屋内の環境としてＷｉＦｉの電波状況やアクセスポイントの位置を設定して、電波強度や電波の到達時間を計測することで屋内測位を実施していた（例えば、特許文献１参照）。
【先行技術文献】
【特許文献】
【０００４】
【特許文献１】特開２０１１−２２６９２９号公報
【発明の概要】
【発明が解決しようとする課題】
【０００５】
しかしながら、特許文献１に記載の技術を用いて、携帯端末が特定屋内にあるか否かを判定する場合には、予め特定屋内の環境を利用者が設定する必要があり、利用者の作業負担が生じてしまうという問題点があった。
【０００６】
そこで、本発明は、上記課題に鑑み、利用者に初期設定の作業を強いること無く、携帯端末が特定屋内であるか否かの判定を可能にする特定屋内判定システム、特定屋内判定装置、特定屋内判定方法、およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）  本発明は、携帯端末と当該携帯端末と接続されたサーバを備え、当該携帯端末が特定の屋内にあるか否かを判定する特定屋内判定システム（例えば、図１の特定屋内判定システム１に相当）であって、前記サーバが、前記携帯端末から受信した位置情報および無線電波状況を対応付けて蓄積する電波状況蓄積手段（例えば、図１の電波状況蓄積部２１に相当）と、前記電波状況蓄積手段に蓄積された前記無線電波状況に基づいて、前記位置情報により特定される屋内の無線電波状況を推定する推定手段（例えば、図１の推定部２２に相当）と、を備え、前記携帯端末が、自端末の環境に関する情報を測定するセンサ（例えば、図１のセンサ１１に相当）と、前記自端末の無線電波状況を測定する電波状況測定手段（例えば、図１の電波状況測定部１５に相当）と、前記自端末が特定の屋内にあったか否かを示すフラグを保持するフラグ保持手段（例えば、図１のフラグ保持部１４に相当）と、前記センサの測定値に基づいて当該自端末が屋内にあるか否かを判定する屋内判定手段（例えば、図１の屋内判定部１２に相当）と、前記屋内判定手段で前記自端末が屋内にあると判定され、かつ、当該自端末が特定の屋内にあったことを前記フラグが示す場合に、前記電波状況測定手段で測定された無線電波状況を前記サーバに送信する送信手段（例えば、図１の送信部１７に相当）と、前記屋内判定手段で前記自端末が屋内にあると判定され、かつ、当該自端末が特定の屋内になかったことを前記フラグが示す場合に、当該自端末の位置情報により特定される屋内について推定された無線電波状況を前記サーバから取得し、当該推定された無線電波状況と前記電波状況測定手段で測定された無線電波状況とに基づいて、当該自端末が前記特定の屋内にあるか否かを判定する特定屋内判定手段（例えば、図１の特定屋内判定部１６に相当）と、前記屋内判定手段の判定結果、および前記特定建物判定手段の判定結果に応じて、前記フラグを設定するフラグ設定手段（例えば、図１のフラグ設定部１８に相当）と、を備えることを特徴とする特定屋内判定システムを提案している。
【０００９】
この発明によれば、電波状況蓄積手段は、携帯端末から受信した位置情報および無線電波状況を対応付けて蓄積する。推定手段は、電波状況蓄積手段に蓄積された無線電波状況に基づいて、位置情報により特定される屋内の無線電波状況を推定する。センサは、自端末の環境に関する情報を測定する。電波状況測定手段は、自端末の無線電波状況を測定する。フラグ保持手段は、自端末が特定の屋内にあったか否かを示すフラグを保持する。屋内判定手段は、センサの測定値に基づいて自端末が屋内にあるか否かを判定する。送信手段は、屋内判定手段で自端末が屋内にあると判定され、かつ、自端末が特定の屋内にあったことをフラグが示す場合に、電波状況測定手段で測定された無線電波状況をサーバに送信する。特定屋内判定手段は、屋内判定手段で自端末が屋内にあると判定され、かつ、自端末が特定の屋内になかったことをフラグが示す場合に、自端末の位置情報により特定される屋内について推定された無線電波状況をサーバから取得し、推定された無線電波状況と電波状況測定手段で測定された無線電波状況とに基づいて、自端末が特定の屋内にあるか否かを判定する。フラグ設定手段は、屋内判定手段の判定結果、および前記特定屋内判定手段の判定結果に応じて、フラグを設定する。したがって、携帯端末が特定屋内にある時の無線電波状況を学習することによって、利用者に初期設定の作業を強いること無く、携帯端末が特定屋内であるか否かの判定が可能になる。
【００１０】
（２）  本発明は、（１）の特定屋内判定システムについて、前記送信手段が、当該自端末が特定の屋内になかったことを前記フラグが示す場合に、前記特定屋内判定手段で前記自端末が前記特定の屋内にあると判定されたことに応じて、前記電波状況測定手段で測定された無線電波状況を前記サーバに送信することを特徴とする特定屋内判定システムを提案している。
【００１１】
この発明によれば、送信手段は、自端末が特定の屋内になかったことをフラグが示す場合に、特定屋内判定手段で自端末が特定の屋内にあると判定されたことに応じて、電波状況測定手段で測定された無線電波状況をサーバに送信する。したがって、携帯端末が屋外から特定屋内に移動した場合にも、特定屋内の無線電波状況を学習することによって、携帯端末が特定屋内であるか否かの判定をより精度よく可能にする。
【００１２】
（３）  本発明は、（１）または（２）の特定屋内判定システムについて、前記センサが、加速度センサであって、前記屋内判定手段が、前記自端末が、前記加速度センサが検出した一方向への移動距離に基づいて、当該自端末が屋内にあるか否かを判定することを特徴とする特定屋内判定システムを提案している。
【００１３】
この発明によれば、センサは、加速度センサである。屋内判定手段は、自端末が、加速度センサが検出した一方向への移動距離に基づいて、自端末が屋内にあるか否かを判定する。したがって、加速度センサが検出した情報に基づいて、携帯端末が屋内にあるか否かを判定することができる。
【００１４】
（４）  本発明は、（１）から（３）の特定屋内判定システムについて、前記センサが、照度センサであって、前記屋内判定手段が、前記自端末に内蔵される時計機能から検出された時刻と前記照度センサの測定値とに基づいて、当該自端末が屋内にあるか否かを判定することを特徴とする特定屋内判定システムを提案している。
【００１５】
この発明によれば、センサは、照度センサである。屋内判定手段は、自端末に内蔵される時計機能から検出された時刻と照度センサの測定値とに基づいて、自端末が屋内にあるか否かを判定する。したがって、照度センサが検出した情報に基づいて、携帯端末が屋内にあるか否かを判定することができる。
【００１６】
（５）  本発明は、（１）から（４）の特定屋内判定システムについて、前記センサが、カメラであって、前記屋内に設置される屋内用品の画像を予め記憶する画像記憶手段を備え、前記屋内判定手段が、前記カメラにて撮影された画像に、前記画像記憶手段に画像が記憶されている前記屋内用品が含まれるか否かに基づいて、前記自端末が屋内にあるか否かを判定することを特徴とする特定屋内判定システムを提案している。
【００１７】
この発明によれば、センサは、カメラである。画像記憶手段は、屋内に設置される屋内用品の画像を予め記憶する。屋内判定手段は、カメラにて撮影された画像に、画像記憶手段に画像が記憶されている屋内用品が含まれるか否かに基づいて、自端末が屋内にあるか否かを判定する。したがって、カメラにて撮影された画像に基づいて、携帯端末が屋内にあるか否かを判定することができる。
【００１８】
（６）  本発明は、（１）から（５）の特定屋内判定システムについて、前記センサが、マイクおよびスピーカであって、前記屋内判定手段が、前記スピーカから音が発信されてから、壁による当該音の反射音を前記マイクが検出するまでの時間に基づいて、前記自端末が屋内にあるか否かを判定することを特徴とする特定屋内判定システムを提案している。
【００１９】
この発明によれば、センサは、マイクおよびスピーカである。屋内判定手段は、スピーカから音が発信されてから、壁による音の反射音をマイクが検出するまでの時間に基づいて、自端末が屋内にあるか否かを判定する。したがって、発信音が戻ってくるまでの時間に基づいて、携帯端末が屋内にあるか否かを判定することができる。
【００２０】
（７）  本発明は、（１）から（６）の特定屋内判定システムについて、前記フラグは、前記自端末の初期起動時には、当該自端末が特定の屋内にあることを示すことを特徴とする特定屋内判定システムを提案している。
【００２１】
この発明によれば、フラグは、自端末の初期起動時には、自端末が特定の屋内にあることを示す。したがって、携帯端末が初期起動された時から携帯端末が屋外に持ち出されるまでの間、特定の屋内の電波状況を学習することができる。
【００２２】
（８）  本発明は、（１）から（６）の特定屋内判定システムについて、前記サーバが、前記携帯端末の所有者宅の位置情報を記憶する位置情報記憶手段（例えば、図４の位置情報記憶部２３に相当）を備え、前記携帯端末が、前記自端末の初期起動時に、当該自端末の位置情報、および前記サーバから取得した当該自端末の所有者宅の位置情報に基づいて、当該自端末が所有者宅にあるか否かを判定する所有者宅判定手段（例えば、図４の所有者宅判定部１９に相当）を備え、前記フラグ設定手段が、前記所有者宅判定手段で前記自端末が所有者宅にあると判断されたことに応じて、当該自端末が特定の屋内にあることを示すフラグを設定することを特徴とする特定屋内判定システムを提案している。
【００２３】
この発明によれば、位置情報記憶手段は、携帯端末の所有者宅の位置情報を記憶する。所有者宅判定手段は、自端末の初期起動時に、自端末の位置情報、およびサーバから取得した自端末の所有者宅の位置情報に基づいて、自端末が所有者宅にあるか否かを判定する。フラグ設定手段は、所有者宅判定手段で自端末が所有者宅にあると判断されたことに応じて、自端末が特定の屋内にあることを示すフラグを設定する。したがって、携帯端末が初期起動された場所が、携帯端末の所有者宅であるか否かを判定することによって、携帯端末の所有者宅内の電波状況を学習することができる。
【００２４】
（９）  本発明は、特定の屋内にあるか否かを判定する携帯端末であって、自端末の環境に関する情報を測定するセンサと、前記自端末の無線電波状況を測定する電波状況測定手段と、前記自端末が特定の屋内にあったか否かを示すフラグを保持するフラグ保持手段と、前記センサの測定値に基づいて当該自端末が屋内にあるか否かを判定する屋内判定手段と、前記屋内判定手段で前記自端末が屋内にあると判定され、かつ、当該自端末が特定の屋内にあったことを前記フラグが示す場合に、当該自端末の位置情報および無線電波状況を対応付けて蓄積する電波状況蓄積手段と、前記電波状況蓄積手段に蓄積された前記無線電波状況に基づいて、前記位置情報により特定される屋内の無線電波状況を推定する推定手段と、前記屋内判定手段で前記自端末が屋内にあると判定され、かつ、当該自端末が特定の屋内になかったことを前記フラグが示す場合に、前記推定手段で推定された無線電波状況と前記電波状況測定手段で測定された無線電波状況とに基づいて、当該自端末が前記特定の屋内にあるか否かを判定する特定屋内判定手段と、前記屋内判定手段の判定結果、および前記特定屋内判定手段の判定結果に応じて、前記フラグを設定するフラグ設定手段と、を備えることを特徴とする携帯端末を提案している。
【００２５】
この発明によれば、センサは、自端末の環境に関する情報を測定する。電波状況測定手段は、自端末の無線電波状況を測定する。フラグ保持手段は、自端末が特定の屋内にあったか否かを示すフラグを保持する。屋内判定手段は、センサの測定値に基づいて自端末が屋内にあるか否かを判定する。電波状況蓄積手段は、屋内判定手段で自端末が屋内にあると判定され、かつ、自端末が特定の屋内にあったことをフラグが示す場合に、自端末の位置情報および無線電波状況を対応付けて蓄積する。推定手段は、電波状況蓄積手段に蓄積された無線電波状況に基づいて、位置情報により特定される屋内の無線電波状況を推定する。特定屋内判定手段は、屋内判定手段で自端末が屋内にあると判定され、かつ、自端末が特定の屋内になかったことをフラグが示す場合に、推定手段で推定された無線電波状況と電波状況測定手段で測定された無線電波状況とに基づいて、自端末が特定の屋内にあるか否かを判定する。フラグ設定手段は、屋内判定手段の判定結果、および特定屋内判定手段の判定結果に応じて、フラグを設定する。したがって、携帯端末が特定屋内にある時の無線電波状況を学習することによって、利用者に初期設定の作業を強いること無く、携帯端末が特定屋内であるか否かの判定が可能になる。
【００２６】
（１０）  本発明は、携帯端末と当該携帯端末と接続されたサーバを備え、当該携帯端末が特定の屋内にあるか否かを判定する特定屋内判定システムのおける特定屋内判定方法であって、前記携帯端末が、自端末の環境に関する情報を測定するセンサ、前記自端末の無線電波状況を測定する電波状況測定手段と、前記自端末が特定の屋内にあったか否かを示すフラグを保持するフラグ保持手段、屋内判定手段、送信手段、特定屋内判定手段、およびフラグ設定手段を備え、前記サーバが、電波状況蓄積手段、および推定手段を備え、前記屋内判定手段が、前記センサの測定値に基づいて自端末が屋内にあるか否かを判定する第１のステップ（例えば、図２のステップＳ１およびＳ２に相当）と、前記送信手段が、前記第１のステップで前記自端末が屋内にあると判定され、かつ、当該自端末が特定の屋内にあったことを前記フラグが示す場合に、前記電波状況測定手段で測定された無線電波状況を前記サーバに送信する第２のステップ（例えば、図２のステップＳ３、Ｓ７からＳ９に相当）と、前記電波状況蓄積手段が、前記携帯端末から受信した位置情報および無線電波状況を対応付けて蓄積する第３のステップ（例えば、図２のステップＳ１０に相当）と、前記特定屋内判定手段が、前記第１のステップで前記自端末が屋内にあると判定され、かつ、当該自端末が特定の屋内になかったことを前記フラグが示す場合に、当該自端末の位置情報により特定される屋内について推定された無線電波状況の取得要求を前記サーバに送信する第４のステップ（例えば、図２のステップＳ５および図３のステップＳ５１に相当）と、前記推定手段が、前記電波状況蓄積手段に蓄積された前記無線電波状況に基づいて、前記位置情報により特定される屋内の無線電波状況を推定する第５のステップ（例えば、図２のステップＳ５、図３のステップＳ５２に相当）と、前記特定屋内判定手段が、前記サーバから受信した推定された無線電波状況と前記電波状況測定手段で測定された無線電波状況とに基づいて、当該自端末が前記特定の屋内にあるか否かを判定する第６のステップ（例えば、図２のステップＳ５およびＳ６、図３のステップＳ５３からＳ５６に相当）と、前記フラグ設定手段が、前記屋内判定手段の判定結果、および前記特定屋内判定手段の判定結果に応じて、前記フラグを設定する第７のステップ（例えば、図２のステップＳ１１に相当）と、を含むことを特徴とする特定屋内判定方法を提案している。
【００２７】
この発明によれば、まず、第１のステップにおいて、屋内判定手段が、センサの測定値に基づいて自端末が屋内にあるか否かを判定する。次に、第２のステップにおいて、送信手段が、第１のステップで自端末が屋内にあると判定され、かつ、自端末が特定の屋内にあったことをフラグが示す場合に、電波状況測定手段で測定された無線電波状況をサーバに送信する。次に、第３のステップにおいて、電波状況蓄積手段が、携帯端末から受信した位置情報および無線電波状況を対応付けて蓄積する。次に、第４のステップにおいて、特定屋内判定手段が、第１のステップで自端末が屋内にあると判定され、かつ、自端末が特定の屋内になかったことをフラグが示す場合に、自端末の位置情報により特定される屋内について推定された無線電波状況の取得要求をサーバに送信する。次に、第５のステップにおいて、推定手段が、電波状況蓄積手段に蓄積された無線電波状況に基づいて、位置情報により特定される屋内の無線電波状況を推定する。次に、第６のステップにおいて、特定屋内判定手段が、サーバから受信した推定された無線電波状況と電波状況測定手段で測定された無線電波状況とに基づいて、自端末が特定の屋内にあるか否かを判定する。次に、第７のステップにおいて、フラグ設定手段が、屋内判定手段の判定結果、および特定屋内判定手段の判定結果に応じて、フラグを設定する。したがって、携帯端末が特定屋内にある時の無線電波状況を学習することによって、利用者に初期設定の作業を強いること無く、携帯端末が特定屋内であるか否かの判定が可能になる。
【００２８】
携帯端末と当該携帯端末と接続されたサーバを備え、当該携帯端末が特定の屋内にあるか否かを判定する特定屋内判定システムのおける特定屋内判定方法をコンピュータに実行させるプログラムであって、前記携帯端末が、自端末の環境に関する情報を測定するセンサ、前記自端末の無線電波状況を測定する電波状況測定手段と、前記自端末が特定の屋内にあったか否かを示すフラグを保持するフラグ保持手段、屋内判定手段、送信手段、特定屋内判定手段、およびフラグ設定手段を備え、前記サーバが、電波状況蓄積手段、および推定手段を備え、前記屋内判定手段が、前記センサの測定値に基づいて自端末が屋内にあるか否かを判定する第１のステップ（例えば、図２のステップＳ１およびＳ２に相当）と、前記送信手段が、前記第１のステップで前記自端末が屋内にあると判定され、かつ、当該自端末が特定の屋内にあったことを前記フラグが示す場合に、前記電波状況測定手段で測定された無線電波状況を前記サーバに送信する第２のステップ（例えば、図２のステップＳ３、Ｓ７からＳ９に相当）と、前記電波状況蓄積手段が、前記携帯端末から受信した位置情報および無線電波状況を対応付けて蓄積する第３のステップ（例えば、図２のステップＳ１０に相当）と、前記特定屋内判定手段が、前記第１のステップで前記自端末が屋内にあると判定され、かつ、当該自端末が特定の屋内になかったことを前記フラグが示す場合に、当該自端末の位置情報により特定される屋内について推定された無線電波状況の取得要求を前記サーバに送信する第４のステップ（例えば、図２のステップＳ５および図３のステップＳ５１に相当）と、前記推定手段が、前記電波状況蓄積手段に蓄積された前記無線電波状況に基づいて、前記位置情報により特定される屋内の無線電波状況を推定する第５のステップ（例えば、図２のステップＳ５、図３のステップＳ５２に相当）と、前記特定屋内判定手段が、前記サーバから受信した推定された無線電波状況と前記電波状況測定手段で測定された無線電波状況とに基づいて、当該自端末が前記特定の屋内にあるか否かを判定する第６のステップ（例えば、図２のステップＳ５およびＳ６、図３のステップＳ５３からＳ５６に相当）と、前記フラグ設定手段が、前記屋内判定手段の判定結果、および前記特定屋内判定手段の判定結果に応じて、前記フラグを設定する第７のステップ（例えば、図２のステップＳ１１に相当）と、をコンピュータに実行させるためのプログラムを提案している。
【００２９】
この発明によれば、まず、第１のステップにおいて、屋内判定手段が、センサの測定値に基づいて自端末が屋内にあるか否かを判定する。次に、第２のステップにおいて、送信手段が、第１のステップで自端末が屋内にあると判定され、かつ、自端末が特定の屋内にあったことをフラグが示す場合に、電波状況測定手段で測定された無線電波状況をサーバに送信する。次に、第３のステップにおいて、電波状況蓄積手段が、携帯端末から受信した位置情報および無線電波状況を対応付けて蓄積する。次に、第４のステップにおいて、特定屋内判定手段が、第１のステップで自端末が屋内にあると判定され、かつ、自端末が特定の屋内になかったことをフラグが示す場合に、自端末の位置情報により特定される屋内について推定された無線電波状況の取得要求をサーバに送信する。次に、第５のステップにおいて、推定手段が、電波状況蓄積手段に蓄積された無線電波状況に基づいて、位置情報により特定される屋内の無線電波状況を推定する。次に、第６のステップにおいて、特定屋内判定手段が、サーバから受信した推定された無線電波状況と電波状況測定手段で測定された無線電波状況とに基づいて、自端末が特定の屋内にあるか否かを判定する。次に、第７のステップにおいて、フラグ設定手段が、屋内判定手段の判定結果、および特定屋内判定手段の判定結果に応じて、フラグを設定する。したがって、携帯端末が特定屋内にある時の無線電波状況を学習することによって、利用者に初期設定の作業を強いること無く、携帯端末が特定屋内であるか否かの判定が可能になる。
【発明の効果】
【００３０】
本発明によれば、利用者に初期設定の作業を強いること無く、携帯端末が特定屋内であるか否かの判定を可能にする
【図面の簡単な説明】
【００３１】
【図１】本発明の第１の実施形態に係る特定屋内判定システムの機能構成を示す図である。
【図２】本発明の第１の実施形態に係る特定屋内判定システムにおける特定屋内判定総合処理フローを示す図である。
【図３】本発明の第１の実施形態に係る特定屋内判定システムにおける特定屋内判定処理フローを示す図である。
【図４】本発明の第２の実施形態に係る特定屋内判定システムの機能構成を示す図である。
【発明を実施するための形態】
【００３２】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３３】
＜第１の実施形態＞
＜特定屋内判定システムの構成＞
図１は、本発明の第１の実施形態に係る特定屋内判定システム１の機能構成を示す図である。図１に示すように、特定屋内判定システム１は、携帯端末１０とサーバ２０とを備え、携帯端末１０とサーバ２０とはネットワークを介して接続されている。なお、図１において、携帯端末１０は１台しか図示していないが、複数台であってもよい。
【００３４】
＜携帯端末の機能構成＞
携帯端末１０は、備えられているセンサを利用して自装置が特定屋内にあるか否かを判定することができる携帯端末であって、例えば、携帯電話機、スマートフォン、タブレット端末等である。ここで、特定屋内とは、ユーザが拠点としている建物の内であって、例えば、生活の拠点である自宅内や仕事の拠点である会社内等である。図１に示すように、携帯端末１０は、センサ１１、屋内判定部１２、画像記憶部１３、フラグ保持部１４、電波状況測定部１５、特定屋内判定部１６、送信部１７、およびフラグ設定部１８を備える。なお、画像記憶部１３は、センサ１１としてカメラを用いる場合にのみ、携帯端末１０に備えられればよい。
【００３５】
センサ１１は、屋内判定部１２からの要求に応じて、測定値を屋内判定部１２に送信する。センサ１１は、携帯端末１０の環境に関する情報（以下、環境情報という）を測定することができ、具体的には、携帯端末１０の位置情報と、携帯端末１０が屋内にあるか否かを判定するための情報を取得する。ここで、センサ１１は、例えば、ＧＰＳ、加速度センサ、照度センサ、カメラ、マイクおよびスピーカ等である。
【００３６】
屋内判定部１２は、携帯端末１０が屋内にあるか否かの判定を、センサ１１から取得した環境情報に基づいて行う。まず、屋内判定部１２は、センサ１１に環境情報の取得要求を行い、センサ１１から環境情報を取得する。そして、屋内判定部１２は、センサ１１から取得した環境情報に基づいて、携帯端末１０が屋内にあるか否かを判定する。ここで、センサ１１から取得する環境情報毎に、屋内判定部１２による携帯端末１０が屋内にあるか否かの判定方法について説明する。
【００３７】
まず、センサ１１としてＧＰＳを用いて、衛星補足数、受信強度、およびＳＮ比等のＧＰＳの受信状況を環境情報として取得する場合について説明する。この場合、例えば、屋内判定部１２は、衛星補足数が予め設定されているしきい値よりも多いか少ないかによって、携帯端末１０が屋内にあるか否かを判定する。屋内判定部１２は、衛星補足数がしきい値よりも多い場合には携帯端末１０は屋外にあると判定し、衛星補足数がしきい値よりも少ない場合には携帯端末１０は屋内にあると判定する。
【００３８】
次に、センサ１１として加速度センサを用いて、携帯端末１０の加速度を環境情報として取得する場合について説明する。この場合、屋内判定部１２は、加速度から一方向への移動距離を算出し、算出した移動距離が予め設定されているしきい値よりも大きいか少ないかによって携帯端末１０が屋内にあるか否かを判定する。屋内判定部１２は、移動距離がしきい値よりも大きい場合には携帯端末１０は屋内にあると判定し、移動距離がしきい値よりも小さい場合には携帯端末１０は屋外にあると判定する。
【００３９】
次に、センサ１１として照度センサを用いて、携帯端末１０がある場所の照度を環境情報として取得する場合について説明する。この場合、屋内判定部１２は、携帯端末１０に内蔵されている時計機能から検出された時刻とセンサ１１で取得された照度とに基づいて、携帯端末１０が屋内にあるか否かを判定する。具体的には、時計機能から検出された時刻が日中である場合には、照度が予め設定されたしきい値よりも小さい場合には携帯端末１０は屋内にあると判定し、照度がしきい値よりも大きい場合には携帯端末１０は屋外にあると判定する。一方、時計機能から検出された時刻が夜間である場合には、照度が予め設定されたしきい値よりも大きい場合には携帯端末１０は屋内にあると判定し、照度がしきい値よりも小さい場合には携帯端末１０は屋外にあると判定する。
【００４０】
次に、センサ１１としてカメラを用いて、携帯端末１０がある場所を撮影した画像を環境情報として取得する場合について説明する。この場合、屋内に設置される屋内用品、例えば、冷蔵庫、テレビ、洗濯機、ベッド等の画像を予め記憶する画像記憶部１３を携帯端末１０は備える。画像記憶部１３に記憶する画像は、携帯端末１０のユーザが予め特定屋内にある屋内用品を撮影したものであるのが望ましい。屋内判定部１２は、カメラにて撮影された画像に、画像記憶部１３に画像が記憶されている屋内用品が含まれるか否かによって、携帯端末１０が屋内にあるか否かを判定する。屋内判定部１２は、カメラにて撮影された画像に、画像記憶部１３に画像が記憶されている屋内用品が含まれる場合には、携帯端末１０は屋内にあると判定する。一方、屋内判定部１２は、カメラにて撮影された画像に、画像記憶部１３に画像が記憶されている屋内用品が含まれない場合には、携帯端末１０は屋外にあると判定する。
【００４１】
最後に、センサ１１としてマイクおよびスピーカを用いて、スピーカから発信された音が壁に反射してマイクで検出されるまでの時間を環境情報として取得する場合について説明する。この場合、屋内判定部１２は、スピーカから発信された音が壁に反射してマイクで検出するまでの時間に基づいて、携帯端末１０が屋内にあるか否かを判定する。屋内判定部１２は、スピーカから発信された音がマイクで検出されるまでの時間がしきい値よりも大きい場合には携帯端末１０は屋外にあると判定し、スピーカから発信された音がマイクで検出するまでの時間がしきい値よりも小さい場合には携帯端末１０は屋内にあると判定する。
【００４２】
屋内判定部１２は、上述したように様々な種類のセンサを用いて携帯端末１０が屋内にあるか否かを判定することができる。また、屋内判定部１２は、異なった種類のセンサからの環境情報を適宜組み合わせて、例えば、ＧＰＳの衛星補足数と加速度センサの加速度とを組み合わせて、携帯端末１０が屋内にあるか否かを判断してもよい。
【００４３】
屋内判定部１２は、携帯端末１０が屋内にあると判断した場合に、前回判定フラグが「携帯端末１０が特定屋内にあった」ことを示す場合には、送信部１７に電波状況取得の指示を行う。一方、屋内判定部１２は、前回判定フラグが「携帯端末１０が特定屋内以外にあった」ことを示す場合には、特定屋内判定部１６に電波状況取得の指示を行う。ここで、前回判定フラグは、前回の特定屋内判定総合処理を行った結果であって、携帯端末１０が屋内にあったか否かを示す。前回判定フラグは、フラグ設定部１８で設定され、フラグ保持部１４で保持されている。詳細については、後述する。
【００４４】
また、屋内判定部１２は、携帯端末１０が屋外にあると判断した場合に、特定屋内以外では使用を制限するアプリに対し通知を行う。それにより、特定屋内以外では使用を制限するアプリは、使用制限を設定する。その結果、ＨＥＭＳにおいては、各世帯向けのロケーションサービス（情報の配信や機能の変更）が可能になり、例えば、各世帯に関する情報（電力情報等）が他人に知られることを防ぐことができる。
【００４５】
電波状況測定部１５は、携帯端末１０の無線通信の電波状況を測定する。無線通信には、例えば、ＷｉＦｉ（登録商標）、３Ｇ、ＷｉＭＡＸ等が挙げられる。
【００４６】
送信部１７は、屋内判定部１２から電波状況取得の指示を受け付けると、電波状況測定部１５から電波状況を取得する。そして、送信部１７は、取得した電波状況をセンサ１１で取得した携帯端末１０の位置情報と併せて、サーバ２０に送信する。また、送信部１７は、特定屋内判定部１６から電波状況取得の指示を受け付けると、電波状況測定部１５から電波状況を取得する。そして、送信部１７は、取得した電波状況をサーバ２０に送信する。
【００４７】
特定屋内判定部１６は、屋内判定部１２から電波状況取得の指示を受け付けると、電波状況測定部１５から電波状況を取得する。そして、特定屋内判定部１６は、電波状況測定部１５から取得した電波状況と、サーバ２０から取得した電波状況とに基づいて、携帯端末１０が特定屋内にあるか否かを判定する。具体的な処理については、後述する。また、特定屋内判定部１６は、携帯端末１０が特定屋内にあると判断した場合、特定屋内以外では使用を制限するアプリに対し通知を行う。その結果、特定屋内以外では使用を制限するアプリは、使用制限を解除する。
【００４８】
フラグ設定部１８は、屋内判定部１２の判定結果、および特定屋内判定部１６の判定結果に応じて、前回判定フラグを設定する。前回判定フラグは、上述したように、携帯端末１０が特定屋内にあったか否かを示し、フラグ設定部１８は、屋内判定部１２の判定結果が「携帯端末１０が屋外にある」の場合に、「携帯端末１０が特定屋内以外にあった」ことを示すフラグを設定する。また、フラグ設定部１８は、特定屋内判定部１６の判定結果が「携帯端末が特定屋内にある」の場合に、「携帯端末１０が特定屋内にあった」ことを示すフラグを設定する。その他の場合には、既に設定されている前回判定フラグをそのまま再設定する。
【００４９】
前回判定フラグを用いることにより、特定屋内に前からある場合には、携帯端末１０が特定屋内判定部１６により特定屋内にあるか否かの判定を行うことなく、屋内の電波状況を学習することができる。なお、フラグ設定部１８は、携帯端末１０の初期起動時には、「携帯端末１０が特定屋内にあった」ことを示すフラグを設定する。携帯端末１０が初期起動されるのは、ユーザの自宅や職場といった特定屋内であるからである。
【００５０】
＜サーバの機能構成＞
サーバ２０は、携帯端末１０が特定屋内にあるか否かの判定に用いる各特定屋内の電波状況を蓄積し、携帯端末１０からの要求に応じて提供する。図１に示すように、サーバ２０は、電波状況蓄積部２１と、推定部２２とを備える。
【００５１】
電波状況蓄積部２１は、携帯端末１０から受信した、携帯端末１０の位置情報および電波状況を対応付けて蓄積する。
【００５２】
推定部２２は、携帯端末１０から位置情報を受信したことに応じて、受信した位置情報に対応する電波状況を電波状況蓄積部２１から取得する。次に、推定部２２は、電波状況蓄積部２１から取得した電波状況に基づいて、携帯端末１０の特定屋内の電波状況を推測する。例えば、推定部２２は、電波状況蓄積部２１から取得した電波状況を統計処理することによって、携帯端末１０の特定屋内の電波状況を推定する。そして、推定部２２は、推定した電波状況（以下、推定電波状況という）を携帯端末１０に送信する。
【００５３】
＜特定屋内判定総合処理フロー＞
図２を用いて、本実施形態に係る特定屋内判定システムにおける特定屋内判定総合処理フローについて説明する。なお、本処理は、一定間隔で繰り返される。
【００５４】
まず、ステップＳ１において、屋内判定部１２は、センサ１１から環境情報を取得する。
【００５５】
次に、ステップＳ２において、屋内判定部１２は、ステップＳ１で取得した環境情報に基づいて、携帯端末１０が屋内にあるか否かを判定する。屋内判定部１２が、携帯端末１０が屋内にあると判断した場合には、ステップＳ３に処理を進め、一方、携帯端末１０が屋外にあると判断した場合には、ステップＳ１１に処理を進める。
【００５６】
次に、ステップＳ３において、屋内判定部１２は、前回判定フラグが「携帯端末１０が特定屋内にあった」ことを前回判定フラグが示しているか否かを判定する。屋内判定部１２が、「携帯端末１０が特定屋内にあった」ことを前回判定フラグが示していると判断した場合には、ステップＳ７に処理を進め、一方、「携帯端末１０が特定屋内以外にあった」ことを前回判定フラグが示していると判断した場合には、ステップＳ４に処理を進める。
【００５７】
次に、ステップＳ４において、屋内判定部１２は、特定屋内判定部１６に電波状況取得の指示を行う。
【００５８】
次に、ステップＳ５において、特定屋内判定部１６は、電波状況測定部１５の測定結果を用いて、携帯端末１０が特定屋内にあるか否かの判定処理を行う。詳細な処理については後述する。
【００５９】
次に、ステップＳ６において、特定屋内判定部１６は、ステップＳ５の特定屋内判定処理において、携帯端末１０が特定屋内にあると判定した場合には、ステップＳ７に処理を進め、一方、携帯端末１０が特定屋内以外にあると判定した場合には、ステップＳ１１に処理を進める。
【００６０】
次に、ステップＳ７において、ステップＳ３において、「携帯端末１０が特定屋内にあった」ことを前回判定フラグが示していると判断された場合には屋内判定部１２が、ステップＳ７において、携帯端末１０が特定屋内にあると判定された場合には特定屋内判定部１６が、送信部１７に電波状況取得の指示を行う。
【００６１】
次に、ステップＳ８において、送信部１７は、電波状況測定部１５から電波状況を取得する。
【００６２】
次に、ステップＳ９において、送信部１７は、ステップＳ８で取得した電波状況を、携帯端末１０の位置情報と併せてサーバ２０に送信する。
【００６３】
次に、ステップＳ１０において、サーバ２０の電波状況蓄積部２１は、携帯端末１０から受信した位置情報と電波状況とを対応付けて記憶する。
【００６４】
次に、ステップＳ１１において、フラグ設定部１８は、ステップＳ２の判定結果、およびステップＳ６の判定結果に応じて、前回判定フラグを設定する。
＜特定屋内判定処理フロー＞
図３を用いて、本実施形態に係る特定屋内判定システムにおける特定屋内判定処理について説明する。
【００６５】
まず、ステップＳ５１において、携帯端末１０の特定屋内判定部１６は、センサ１１で取得した携帯端末１０の位置情報を含み、この位置情報により特定される屋内の推定電波状況の取得要求をサーバ２０に送信する。
【００６６】
次に、ステップＳ５２において、サーバ２０の推定部２２は、携帯端末１０から受信した位置情報に対応する電波状況を電波状況蓄積部２１から取得し、取得した電波状況に基づいて、携帯端末１０の特定屋内の電波状況を推測する。
【００６７】
次に、ステップＳ５３において、サーバ２０の推定部２２は、推定電波状況を携帯端末１０に送信する。
【００６８】
次に、ステップＳ５４において。携帯端末１０の特定屋内判定部１６は、サーバ２０から取得した推定電波状況と電波状況測定部１５から取得した電波状況と、が一致するか否かを判定する。なお、推定電波状況と電波状況測定部１５から取得した電波状況とは完全一致でなくてもよく、両者の差異が予め設定された誤差範囲の場合には両者は一致するとする。推定電波状況と電波状況測定部１５から取得した電波状況とが一致する場合には、ステップＳ５５に処理を進め、一方、推定電波状況と電波状況測定部１５から取得した電波状況とが一致しない場合にはステップＳ５６に処理を進める。
【００６９】
次に、ステップＳ５５において、携帯端末１０の特定屋内判定部１６は、携帯端末１０が特定屋内にあると判定する。
【００７０】
次に、ステップＳ５６において、携帯端末１０の特定屋内判定部１６は、携帯端末が特定屋内以外にあると判定する。
【００７１】
なお、本実施形態におけるサーバ２０の機能を携帯端末１０が備えることにより、携帯端末１０を特定屋内判定装置として実現することもできる。
【００７２】
以上説明したように、本実施形態によれば、利用者に初期設定の作業を強いること無く、携帯端末が特定屋内であるか否かの判定を可能にする。それにより、例えば、ＨＥＭＳにおいて、各世帯向けのロケーションサービス（情報の配信や機能の変更）が可能になる。
【００７３】
＜第２の実施形態＞
図４を用いて、本発明の第２の実施形態について説明する。本実施形態に係る特定屋内判定システムでは、携帯端末の所有者宅内を特定宅内として設定することができる。なお、第１の実施形態と同一の符号を付す構成要素については、同一の機能を有することから、その詳細な説明は省略する。
【００７４】
＜特定屋内判定システムの構成＞
図４は、本発明の第２の実施形態に係る特定屋内判定システム２の機能構成を示す図である。図４に示すように、特定屋内判定システム２は、携帯端末１００とサーバ２００とを備え、携帯端末１００とサーバ２００とはネットワークを介して接続されている。なお、図４において、携帯端末１００は１台しか図示していないが、複数台であってもよい。
【００７５】
＜携帯端末の機能構成＞
携帯端末１００は、備えられているセンサを利用して自装置が所有者宅内にあるか否かを判定することができる携帯端末であって、例えば、携帯電話機、スマートフォン、タブレット端末等である。図４に示すように、携帯端末１００は、センサ１１、屋内判定部１１２、画像記憶部１３、フラグ保持部１４、電波状況測定部１５、特定屋内判定部１６、送信部１７、フラグ設定部１１８、および所有者宅判定部１９を備える。なお、画像記憶部１３は、センサ１１としてカメラを用いる場合にのみ、携帯端末１０に備えられればよい。
【００７６】
所有者宅判定部１９は、まず、携帯端末１００が初期起動された時に、サーバ２００から携帯端末１００の所有者を一意に特定する情報を送信し、所有者宅の位置情報を取得する。そして、所有者宅判定部１９は、センサ１１から取得した携帯端末１００の位置情報と、サーバ２００から取得した所有者宅の位置情報とが一致するか否か判定する。なお、携帯端末１００の位置情報と所有者宅の位置情報とは完全一致でなくてもよく、両者の差異が予め設定された誤差範囲の場合には両者は一致するとする。なお、所有者宅判定部１９は、携帯端末１００の位置情報と所有者宅の位置情報とが一致するまで、一定間隔で、センサ１１から携帯端末１００の位置情報を取得し、携帯端末１００が所有者宅内にあるか否か判断する。
【００７７】
フラグ設定部１１８は、所有者宅判定部１９にて、携帯端末１００の位置情報と所有者宅の位置情報とが一致すると判断されたことに応じて、前回判定フラグを「携帯端末１０が特定屋内にあった」ことを示すフラグに設定する。一方、フラグ設定部１１８は、所有者宅判定部１９にて、携帯端末１００の位置情報と所有者宅の位置情報とが一致しないと判断されたことに応じて、フラグを設定しない。なお、フラグ設定部１１８は、第１の実施形態のフラグ設定部１８と同一の機能も有する。
【００７８】
屋内判定部１１２は、前回判定フラグが設定されていない場合には、第１の実施形態にて説明した特定屋内判定総合処理を行わない。なお、屋内判定部１１２は、第１の実施形態の屋内判定部１２と同一の機能も有する。
【００７９】
＜サーバの機能構成＞
サーバ２００は、携帯端末１００が所有者宅内にあるか否かの判定に用いる各所有者宅内の電波状況を蓄積し、携帯端末１００からの要求に応じて提供する。図４に示すように、サーバ２００は、電波状況蓄積部２１、推定部２２、および位置情報記憶部２３を備える。
【００８０】
位置情報記憶部２３は、携帯端末１００の所有者が契約時に登録した住所の情報を、所有者を一意に特定する情報に対応つけて記憶する。
【００８１】
以上説明したように、本実施形態によれば、携帯端末の所有者宅内を特定宅内として設定することができる。
【００８２】
なお、特定宅内判定システムの処理をコンピュータ読み取り可能な記録媒体に記録し、この記録媒体に記録されたプログラムを機器に読み込ませ、実行することによって本発明の特定宅内判定システムを実現することができる。ここでいうコンピュータシステムとは、ＯＳや周辺装置等のハードウェアを含む。
【００８３】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００８４】
また、上記プログラムは、前述した機能の一部を実現するためのものであってもよい。更に、前述した機能をコンピュータシステムにすでに記録されているプログラムとの組み合わせで実現できるもの、いわゆる差分ファイル（差分プログラム）であってもよい。
【００８５】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００８６】
１      特定屋内判定システム
１０    携帯端末
１１    センサ
１２    屋内判定部
１３    画像記憶部
１４    フラグ保持部
１５    電波状況測定部
１６    特定屋内判定部
１７    送信部
１８    フラグ設定部
２０    サーバ
２１    電波状況蓄積部
２２    推定部
【図１】
2014082658.tif 000003
【図２】
2014082658.tif 000004
【図３】
2014082658.tif 000005
【図４】
2014082658.tif 000006